(57)【要約】【課題】  本考案は携帯電話機本体にメモ機、プリンター機を設置、合体、内蔵してメモ用、即プリント用として活用を目的とする。【解決手段】  本考案は携帯電話機本体１に軽量薄型メモ機８をスライドレール６と７に装着し、必要時に簡単に取り外してメモ機として使用する。メモ機は携帯電話機本体の裏側でないと、カメラ付き電話機の妨げになる。又プリンター機は携帯電話機本体の３に内蔵、合体してあり、プリンター別機に接続作動なく、セットしてあるプリント用紙で即プリントアウトが可能で、他人に伝達できる。プリンター機のプリント用紙は追加補充型とする。【選択図】  図１
0003102635.tif 000002
【実用新案登録請求の範囲】
【請求項１】
携帯電話機本体に取り外し可能な、メモ機能のメモ機を設置、取り付けてメモ用とする
【請求項２】
携帯電話機本体にプリント機能の、プリンター機を合体、内蔵してダウンブロー、プリントアウト用とする
【考案の詳細な説明】
【技術分野】
【０００１】    本考案は、携帯電話機本体に算用数字、文字入力可能機を設置及び、携帯電話機本体から直接写真、ダウンブロー、プリントアウト可能機を内臓、合体したものです。
【背景技術】
【０００２】  携帯電話機から伝言する場合、メール機能を駆使するか、プリンター機等に接続してプリントアウトの動作を必要としてた。
【考案の開示】
【考案が解決しようとする課題】
【０００３】  携帯電話機には、メール機能、声録音等ありますが、他人に伝達報告するには、メール送信かメール受信携帯機を見せなければなりません。その場合近くにメモがない時、メモ機を携帯機から取り出して、歩きながらでも、会議商談中でも、電車の中等でも携帯電話を聞きながら片手で操作し記録できますし、メール駆使不可能な場合、緊急の場合、メール機能を駆使しないで伝達でき、又プリンター機が合体、内蔵でしたら即アウトプットできる。
【課題を解決する為の手段】
【０００４】  本考案は、携帯電話機本体に軽量超薄型メモ機を取り付け設置し、簡単に取り出し、収納可能にし、又プリンター機は合体、内蔵して受信メール写真等、メール機能、ダウンブロー、アウトプット機を駆使しないで伝達可能にし、問題点を解決している。
【考案の効果】
【０００５】  上述の様に、本考案の携帯電話機にメール機能を設置、合体、内蔵することによって、携帯電話機能は勿論ですが、メモ用紙不所持、歩きながら、会議商談中、電車の中、メール先不明、不可能、緊急の場合等、伝達可能で役立つ。
【考案の実施する為の最良の形態】
【０００６】  メモ機は超軽量薄型で携帯電話機型内に納まる物で小型計算機、辞書と同機能でよく、文字表示は５０字以内で、算用数字とアルファベット字表示でよく
外国人も使用可能とする。設置場所は携帯電話本体機の裏に、裏向きに落下防止用のストッパー付きスライドレールか  磁気でセットし取り付け、簡単に取り外せて電話を聞きながら片手で記録できる。プリンター機は内蔵、合体されてるので、その場でアウトプット即可能です。
【実施例】
【０００７】  以下、添付図面に従って実施例を説明します。８のメモ機を携帯電話機本体１から取り外してメモ用とする。不必要なときは６と７の収納スペースにセットして置く。【０００８】  ３はプリンター機合体、内蔵スペース。携帯電話機構造上、３のスペースは、この場所に限らない。
【図面の簡単な説明】
【０００９】
【図１】本考案の携帯電話機にメモ機、設置スペース、プリンター機の合体、内蔵スペースを示す側面図である。
【図２】本携帯電話機の裏面図である。
【符号の説明】
【００１０】    １  携帯電話機本体
２  携帯電話機の表蓋
３  プリンター機合体、内蔵収納スペース
４  メモ機裏面
５  メモ機表面
６  落下防止スットパー付きスライドレール
７  落下防止スットパー付きスライドレール
８  メモ機
９  携帯電話機裏面の足
１０  携帯電話機裏面の足
【図１】
0003102635.tif 000003
【図２】
0003102635.tif 000004
【手続補正書】
【提出日】平成15年9月8日(2003.9.8)
【手続補正１】
【補正対象書類名】実用新案登録請求の範囲
【補正対象項目名】請求項２
【補正方法】変更
【補正の内容】
【請求項２】
携帯電話機本体にプリント機能の、プリンター機を内蔵、合体してプリントアウト用とする。
【手続補正２】
【補正対象書類名】明細書
【補正対象項目名】０００１
【補正方法】変更
【補正の内容】
【０００１】本考案は、携帯電話機本体に算用数字、文字入力可能機を合体、設置及び、携帯電話機本体から直接写真、メール等プリントアウト可能機を内蔵、合体したものです。
【手続補正３】
【補正対象書類名】明細書
【補正対象項目名】０００４
【補正方法】変更
【補正の内容】
【０００４】本考案は携帯電話機本体に軽量薄型メモ機を取り付け設置し、簡単に取り出し収納可能にし、メモ用とする。又プリンター機は内蔵、合体してあり、受信メール写真等、メール機能機、プリントアウト機に接続駆使しないで他人に伝達可能にし、問題点を解決してる。
【手続補正４】
【補正対象書類名】明細書
【補正対象項目名】０００６
【補正方法】変更
【補正の内容】
【０００６】メモ機は軽量薄型で携帯電話機型内に収まる小型で、文字数字入力可能機で良く、文字数字表示は５０字以内で、算用数字とアルファベット字表示で良く外国人も使用可能とする。設置場所は携帯電話機本体の裏にメモ機を裏向きに落下防止付きスライドレールにセットした状態でスライドレールの裏面に接着剤を用いて貼り付け、必要時はメモ機を取り外して入力しメモ用とする。メモ機の設置用スライドレール既設の携帯電話機にはメモ機のみを合体させるだけで良い。プリンター機は内蔵、合体されてるので、その場でプリントアウトが即可能です。
【手続補正書】
【提出日】平成15年9月11日(2003.9.11)
【手続補正１】
【補正対象書類名】実用新案登録請求の範囲
【補正対象項目名】請求項１
【補正方法】変更
【補正の内容】
【請求項１】
携帯電話機本体に取り外し可能な、文字数字入力機能のメモ機を取り付け、既設してる事を特徴としてる携帯電話機。
【手続補正２】
【補正対象書類名】実用新案登録請求の範囲
【補正対象項目名】請求項２
【補正方法】変更
【補正の内容】
【請求項２】
前記携帯電話機本体にさらに、プリント機能のプリンター機を内蔵、合体してる事を特徴とする請求項１記載の携帯電話機。
【手続補正書】
【提出日】平成15年9月16日(2003.9.16)
【手続補正１】
【補正対象書類名】明細書
【補正対象項目名】０００３
【補正方法】変更
【補正の内容】
【０００３】携帯電話機には、メール機能、声録音等ありますが、受信したメール、写真等他人に伝達報告するには、メール送信かシークレットな受信記録のある受信携帯電話機を見せなければなりません。その場合近くにメモがない時、メモ機を携帯電話機から取り外して、歩きながらでも、会議商談中、電車の中等でも携帯電話を聞きながら入力操作し記録でき、メール駆使不可能、緊急の場合このメモ機で他人に伝達できる。又プリンター機が内蔵、合体でしたら即プリントアウトができ、他人に伝達できる。
【手続補正２】
【補正対象書類名】明細書
【補正対象項目名】０００５
【補正方法】変更
【補正の内容】
【０００５】上述の様に、本考案の携帯電話機にメモ機、プリンター機を設置、内蔵、合体する事によって、携帯電話機能は勿論ですが、メモ用紙不所持、歩きながらでも、会議商談中、電車の中、メール先不明、メール送信不可能、緊急の場合等、他人に伝達可能で役立つ。
【手続補正書】
【提出日】平成15年12月10日(2003.12.10)
【手続補正１】
【補正対象書類名】明細書
【補正対象項目名】０００３
【補正方法】変更
【補正の内容】
【０００３】携帯電話機にはメール機能、録音等ありますが、受信したメール、写真等他人に伝達報告するにはメール送信かシークレットな受信記録のある受信携帯電話機を見せなければなりません。その場合近くにメモがない時、メモ機を携帯電話機から取り外して歩きながらでも、会議商談中、電車の中でも携帯電話を聞きながら入力操作し記録でき、又このメモ機を携帯電話機から取り外して一般家庭、オフィス、どこでもメモ用に使用でき、メール駆使不可能、緊急の場合このメモ機で他人に伝達でき、ペーパーレスにも役立つ。又プリンター機が内蔵、合体でしたら即プリントができ、他人に伝達できる。
【手続補正２】
【補正対象書類名】明細書
【補正対象項目名】０００６
【補正方法】変更
【補正の内容】
【０００６】メモ機は軽量薄型で携帯電話機型内に収まる小型で、文字数字入力可能機で良く、算用数字と日本語、アルファベット字表示で良く、外国人にも使用可能とする。設置場所は携帯電話本体機の裏にメモ機を裏向きに落下防止付きスライドレールにセットした状態でスライドレールの裏面に接着剤を用いて貼り付け、必要時にメモ機を取り外して入力しメモ用とする。スライドレールの既設の携帯電話機にはメモ機のみを合体させるだけで良い。プリンター機は内蔵、合体されているので、その場でプリントアウトが即可能です。
【手続補正書】
【提出日】平成16年3月3日(2004.3.3)
【手続補正２】
【補正対象書類名】手続補正書
【補正対象項目名】手続補正６
【補正方法】削除
【補正の内容】